(57)【要約】エレベータベルト（２２）内の少なくとも一つの張力部材と導電性接触を行うための装置（３０）が、さらにベルトにかかる荷重を支持する抑止的な特徴を提供する。コネクタ部分（３２）がベルトに対して固着される。コネクタ部分（３２）がベルトに固着される。一実施例ではコネクタ部分（３２）がベルトの両側に受け止められたクランプ部材（４０、４２）を含む。一方のクランプ部材が、ベルト（２２）内の選択された張力部材（２４）との電気的接触を確立する複数の導電性コネクタ部材（５２）を支持する。一実施例では複数の荷重伝達部材（６６）が他方のクランプ部材に支持される。抑止部分（３４）がエレベータ装置内の選択された構造（３６）に対して固定された位置に確保されるのに適する。抑止部分（３４）を貫通する開口部（３８）がベルト（２２）が通過するのを可能とするが、コネクタ部分（３２）が抑止部分（３４）を越えて移動するのを防止する。これはコネクタ部分（３２）の外部寸法が開口部（３８）の大きさよりも大きいことによる。一実施例ではスチールまたはセラミックなどの耐熱性材料が、抑止部分（３４）およびクランプ部材（４０、４２）に用いられる。
2007529396.tif 000002
【特許請求の範囲】
【請求項１】
エレベータ装置に用いられる荷重支持部材内の少なくとも一つの張力部材と電気的接触を行い、かつ抑止機能を提供するための装置であって、該装置は、
少なくとも一つの張力部材上の被覆を貫通するのに適した少なくとも一つの導電性部材と、少なくとも一つの張力部材上の被覆を貫通するのに適した荷重伝達部材とを有するコネクタ部分と、
コネクタ部分の外部寸法より小さい内部寸法を有する開口部を有する抑止部分であって、それによってコネクタ部分に関連するベルトの部分が抑止部分の選択された側に留まるようになっている抑止部分と、
を有することを特徴とする装置。
【請求項２】
抑止部分がスチールまたはセラミック材料の少なくとも一つから成ることを特徴とする請求項１記載の装置。
【請求項３】
抑止部分がプレートから成ることを特徴とする請求項２記載の装置。
【請求項４】
コネクタ部分は、導電性コネクタ部材を支持する第一のクランプ部材と、荷重伝達部材を支持する第二のクランプ部材とを含むことを特徴とする請求項１記載の装置。
【請求項５】
第一のクランプ部材および第二のクランプ部材を、クランプ部材の間に受け入れられたベルトの部分に対して選択された大きさの張力で保持する弾性のロック部材を含むことを特徴とする請求項４記載の装置。
【請求項６】
弾性のロック部材は、ねじの切られた部材とスプリングワッシャとから成ることを特徴とする請求項５記載の装置。
【請求項７】
クランプ部材が導電性材料から成り、かつコネクタ部材および荷重伝達部材を対応するクランプ部材から絶縁する絶縁体を含むことを特徴とする請求項４記載の装置。
【請求項８】
クランプ部材がスチールから成ることを特徴とする請求項７記載の装置。
【請求項９】
クランプ部材が非導電性の耐熱性材料から成ることを特徴とする請求項４記載の装置。
【請求項１０】
クランプ部材がセラミック材料から成ることを特徴とする請求項９記載の装置。
【請求項１１】
導電性部材または荷重伝達部材の少なくとも一方が、対応する張力部材への貫通方向に対して略直角に配された部分を有することを特徴とする請求項１記載の装置。
【請求項１２】
エレベータ装置に用いられる荷重支持部材内の少なくとも一つの張力部材との導電性接触を確立し、かつ荷重支持部材の動きを抑止するための方法であって、該方法は、
抑止部分をエレベータ装置の選択された構造に対して固定された位置に固着し、
少なくとも一つの導電性コネクタ部材を張力部材上の被覆を通して少なくとも部分的に圧入することによって、コネクタ部材と張力部材との間の導電性接触を行い、
荷重伝達部材を被覆を通して少なくとも部分的に圧入することによって、張力部材と荷重伝達部材との間の確実な機械的接触を行い、
荷重支持部材の関連する部分が選択された側に留まるように、コネクタ部材および荷重伝達部材を抑止部分の選択された側に位置させる、
各ステップを含むことを特徴とする方法。
【請求項１３】
コネクタ部材および張力部材を、抑止部分を貫通する開口部の内部寸法よりも大きな外部寸法を有するコネクタ部分内に支持することを含むことを特徴とする請求項１２記載の方法。
【請求項１４】
コネクタ部分が、導電性コネクタ部材を支持する第一のクランプ部材と、荷重伝達部材を支持する第二のクランプ部材とを含むことを特徴とする請求項１３記載の方法。
【請求項１５】
クランプ部材をベルトに対して弾性的に付勢することを含むことを特徴とする請求項１４記載の方法。
【請求項１６】
クランプ部材が導電性材料から成り、かつコネクタ部材および荷重伝達部材を対応するクランプ部材から絶縁する絶縁体を含むことを特徴とする請求項１４記載の方法。
【請求項１７】
クランプ部材がスチールから成ることを特徴とする請求項１４記載の方法。
【請求項１８】
クランプ部材が非導電性の耐熱性材料から成ることを特徴とする請求項１４記載の方法。
【請求項１９】
クランプ部材がセラミック材料から成ることを特徴とする請求項１８記載の方法。
【請求項２０】
抑止部分がスチールまたはセラミック材料の少なくとも一つから成ることを特徴とする請求項１１記載の方法。
【発明の詳細な説明】
【技術分野】
【０００１】
本発明は一般に、ある種の状況の下でエレベータベルトにかかる荷重を支持し、かつエレベータベルト内の少なくとも一つの張力部材と導電性接続を行うための、抑止装置と電気コネクタとの組み合わせに関する。
【背景技術】
【０００２】
一般的にエレベータ装置は、かごおよびつり合おもりの重量を支持し、カゴを昇降路内で望まれるように移動させるための、ロープまたはベルトなどの荷重支持部材を含む。長年、スチールロープが用いられてきた。最近では、ジャケット内に包み込まれた複数の張力部材を含む被覆スチールベルトが導入されている。たとえば、張力部材はスチールコードであり、ジャケットはポリウレタン材料から成る。
【０００３】
このようなベルトの導入によって、従来のスチールロープと比較して著しい重量および強度の利点がもたらされた。
【０００４】
用いられる荷重支持部材の形式に拘わらず、通常、終端部がロープまたはベルトの端部を建物構造、エレベータかご、またはつり合おもりに対して固着している。このような終端部は周知であり、ほとんどの状況においてロープまたはベルトの端部を適切に固着する。しかしながら補助的な抑止が必要となる場合がある。例えば火災用クリップが知られている。このような状況に対しては高温度に耐えることができる補助抑止装置が有用である。
【発明の開示】
【発明が解決しようとする課題】
【０００５】
新しいベルト技術は、新しい補助確保技術への要求を生じさせている。新しいベルト構成はまた、エレベータ装置の寿命にわたってベルトアッセンブリの荷重支持能力を監視するという、新しい課題を提供している。本発明は、電気式の監視技術を用いることができるように少なくとも一つの張力部材との導電性接続を簡単確実に確立する能力と、ベルトの端部を所望の位置に確保する能力との組み合わせを提供する。
【課題を解決するための手段】
【０００６】
一般的に言って、本発明はエレベータの荷重支持部材の少なくとも一つの張力部材と電気的接続を行うこと、および荷重支持部材の端部の抑止を提供することに指向される。
【０００７】
一つの実施例の装置は少なくとも一つの電気コネクタ部材を有するコネクタ部分と、少なくとも一つの荷重伝達部材とを含み、これらはそれぞれ張力部材上の被覆を貫通するのに適している。コネクタ部分は荷重支持部材の外部寸法よりも大きな外部寸法を有する。抑止部分は例えば昇降路の一部、またはかご枠などの構造に対して固定されるのに適している。抑止部分は、荷重支持部材よりも大きいがコネクタ部分の外部寸法よりも小さい内部寸法を有する開口部を含む。抑止部分は荷重支持部材が開口部を通過するのを可能とするがコネクタ部分が開口部を通過するのを防止し、かくして装置に関連する荷重支持部材の端部を確保する。
【０００８】
一実施例では、コネクタ部分および抑止部分は耐熱性の材料で作られる。一実施例ではスチールが用いられる。他の実施例ではセラミック材料が用いられる。
【０００９】
一実施例では導電性コネクタ部材はピンであり、このピンが単一の張力部材と導電性接触を行う。一実施例では複数のこのようなピンが具備され、各々の張力部材と個々に電気的接触を確立する。荷重伝達部材は個々の張力部材からクランプ部材に荷重を伝達する個々のペグから成る。一実施例では、少なくとも一つの荷重伝達用ペグがベルト内の各々の張力部材と関連している。
【００１０】
本発明の様々な特徴および利点は、以下における現在において好ましい実施例の詳細な説明から、当業者にとって明らかとなる。詳細な説明に付随する図面は以下に簡潔に説明され得る。
【発明を実施するための最良の形態】
【００１１】
図１は実施例のエレベータ荷重支持部材２２と共に用いられたコネクタ・抑止装置２０を概略的に図示している。この実施例では荷重支持部材２２は被覆スチールベルトであり、これはベルトの長さにわたって延在する複数の張力部材２４を含む。一実施例では張力部材２４は個々の鋼製のストランドからできたスチールコードから成る。ジャケット被覆２６が張力部材２４を取り巻き、ベルト２２の外部に略長方形の断面を与えている。一実施例ではジャケット被覆２６はポリウレタン材料から成る。
【００１２】
抑止端部接続装置３０はベルト２２上に受け止められた第一のコネクタ部分３２と、例えば昇降路内の他の構造３６に対して確保された位置に固定されるのに適した第二の抑止部分３４とを含む。一実施例では抑止部分３４はプレートから成り、このプレートはそれを貫通する開口部３８を有する。開口部３８は好ましくはベルト２２の外部寸法よりも大きな内部寸法を有し、ベルトは自由に開口部３８を通って移動することができる。しかしながら開口部３８の大きさは、接続・確保装置３０の第一の部分３２が抑止部分３４を通過することが可能になるほど大きくはない。換言すれば、第一の部分３２の外部寸法は開口部３８の大きさよりも大きい。したがって、ベルト２２に荷重がかかってこれが左方向（図示によれば）に引っ張られるときは、第一の部分３２は抑止部分３４に受け止められ、ベルト２２にかかる荷重は第一の部分３２を介して効果的に伝達されて、抑止部分３４および関連する構造３６によって保持される。
【００１３】
正常な状態の下では、コネクタ部分３２は抑止部分３４との接触を強いられていない。一実施例では従来のヒッチ装置（図示せず）が公知の方法でベルト２２に固着されており、したがって図１に示されるベルトの部分は荷重を支持していない（すなわちこれはベルトの自由端である）。従来のヒッチ装置は抑止部分３４の左側（図示によれば）にあると見なされる。
【００１４】
一実施例では、抑止部分３４は昇降路の構造部分に固着される。他の実施例では、抑止部分３４はエレベータかご枠アッセンブリの適当な部分に固着される。さらに他の実施例では、抑止部分３４はつり合おもりの選択された部分に固着される。図１に概略的に図示される構造３６はこれらのうちのいずれかを表している。
【００１５】
第一の部分３２は電気的な接続を確立すると同時に、ベルト２２から第二の部分３４に荷重を伝達できるような確実な機械的接触を確立する。図示された実施例では、第一の部分３２はベルト２２の一つの側に受け止められた第一のクランプ部材４０と、ベルトの他方の側に受け止められた第二のクランプ部材４２とを有する。固着部材４４が第一および第二のクランプ部材４０、４２を互いに固着している。
【００１６】
図２から最もよく理解されるように、この実施例の固着部材４４はボルトに類似する柱部材であり、ねじ付きの端部４６を有する。第二のクランプ部材４２は固着部材４４のねじ付きの端部４６を受け入れる複数のねじ付きの開口部４８を有する。固着部材４４を適切に操作することによって、クランプ部材４０および４２がベルト２２の外面に引き寄せられて確実なアタッチメントをもたらす。
【００１７】
図示された実施例は弾性のロック部材５０を有し、このロック部材がクランプ部材４０および４２を互いに押し付ける所望の大きさの圧力を保持する。図示された実施例ではロック部材５０はスプリングワッシャから成る。ベルト２２の外部が変形した場合は、弾性のロック部材５０がクランプ部材４０および４２を互いに向かって押して、ベルト２２の外部２６のどのような厚さ低減にも順応する。このような構成によってクランプ部材４０および４２がベルトに及ぼす圧力がより連続的かつ自動的に調整される。一実施例ではロック部材はコネクタ部分３２の近傍のジャケット２６が融けてなくなった場合でも張力部材２４との接続を確保する。
【００１８】
図２および図３から最もよくわかるように、コネクタ部分３２は複数の導電性コネクタ部材５２を含む。図示された実施例では、導電性コネクタ部材５２はピンから成り、このピンはベルト２２の被覆２６を貫通するのに適した端部５４を有し、かくしてピン５２はベルト２２内の張力部材２４と導電性接触を行う。一実施例では部材４４を調整することによってクランプ部材４０および４２が互いに引き寄せられ、これによってコネクタ部材５２の端部５４がジャケット被覆２６を貫通し、かくして概略的に図示されるように電気的接触を行う。
【００１９】
図２および図３の実施例では、クランプ部材４０および４２はスチールまたはその他の導電性材料から成る。したがって絶縁材料５６がコネクタ５２を取り囲んでコネクタをクランプ部材から電気的に絶縁している。
【００２０】
図示された実施例はまたプリント回路基板６０を含み、この基板が複数の回路図形６２を有しており、これらの回路図形が導電性コネクタ部材５２の間で所望の電気的接続を確立する。本発明によって設計された装置においては張力部材２４の任意の一つを電気的に絶縁することも、それらの任意の組み合わせを通る回路を確立することも可能である。個々のコネクタ５２は各々の張力部材と個別に、絶縁された接続を選択的に行うことを容易にする。
【００２１】
図示された実施例ではハウジング６４が第一のクランプ部材４０によって支持されており、かくしてプリント回路基板６０および基板に支持される任意の電子部品を包み込んでいる。
【００２２】
コネクタ部分３２はまた複数の荷重伝達部材６６を支持しており、この荷重伝達部材はこの実施例では金属製のペグから成る。電気コネクタ５２と同様に、荷重伝達部材６６はベルト２２のジャケット被覆２６を貫通して張力部材２４と物理的な接触を行うのに適している。具体的に図示されていないが、一実施例では各々の張力部材２４はそれに関連する少なくとも一つの荷重伝達部材６６を有する。
【００２３】
図示された実施例は導電性の荷重伝達部材６６を含むので、好ましくは絶縁体５６がこれを取り囲んで、この実施例では金属製であるクランプ部材４２から絶縁している。好ましくは荷重伝達部材６６は張力部材２４の電気的性質に影響せず、したがって電気コネクタ部材５２およびこれと関連する任意の電子部品または回路の所望の用途に干渉しない。
【００２４】
図示された実施例では、導電性コネクタ部材５２と荷重伝達部材６６との組み合わせによって、張力部材２４との導電性接続が確立されると同時に、荷重を張力部材からコネクタ装置３２に伝達することができる確実な機械的接続も提供される。したがって本発明の構成は張力部材との電気的接続の確立と、張力部材から他の構造へ荷重を伝達することができる確実な機械的接続の確立という、二つの機能を果たす装置が提供され、かくしてベルト２２は、例えばベルト監視を目的とする電気的接続に用いられるのと同一の装置によって支持され得る。
【００２５】
図示された実施例では、コネクタ部材５２および荷重伝達部材６６の屈曲した脚部は、例えば絶縁体５６が溶融したときにピンを押し込むことを容易にする。少なくとも一部の部材５２または６６の少なくとも一部分が、荷重支持部材への挿入方向とは直角であることによって、適切な接続を確保するためにクランプ部材の材料が作用できるための面が提供される。
【００２６】
図４の実施例では、クランプ部材４０’および４２’は非金属性、非導電性の材料から成る。この実施例では別体の絶縁層５６は必要ではない。好ましくは選択される材料は耐熱性であり、昇降路または装置３０の構成要素の近傍に存在するいかなる極高温にも耐える。一実施例ではクランプ部材４０および４２にセラミック材料が用いられる。
【００２７】
コネクタ部分３２および抑止部分３４に選択される材料は高温に耐え、ベルト２２に関連する主終端部（すなわちヒッチ）がベルトにかかる荷重を適切に支持することが不能になった場合でも、補助的な抑止を提供できる。一実施例ではコネクタ部分３２のクランプ部材にスチールが用いられる。他の実施例ではセラミック材料が用いられる。一部の実施例では抑止部分がスチールまたは他の金属から成り、他の部分はセラミック材料から成る。この説明が与えられるならば、当業者は市販の材料からその特定の現場の要求に最適の材料を選択することができよう。
【００２８】
上述の説明は例示的な性格のものであり、限定的な性格のものではない。当業者には開示された実施例に対する、本発明の主旨から必ずしも逸脱しない変形および改良が明らかとなろう。本発明に与えられる法的保護の範囲は添付の請求の範囲を検討することによってのみ決定可能である。
【図面の簡単な説明】
【００２９】
【図１】本発明の実施例によって設計された接続・確保装置の一例が取り付けられたエレベータベルトの概略図。
【図２】図１の２−２線で沿った断面図。
【図３】図１の３−３線に沿って取った断面図。
【図４】本発明の実施例によって設計された図３と類似のコネクタの別の例の断面図。
【図１】
2007529396.tif 000003
【図２】
2007529396.tif 000004
【図３】
2007529396.tif 000005
【図４】
2007529396.tif 000006
【国際調査報告】
2007529396.tif 000007